(57)【特許請求の範囲】
【請求項１】
遊戯盤（２）の前方に配置される遊戯機用前面板（１０）であって、
遊戯盤（２）側に配置される略円環状の内側透明板（１１ａ）と、
遊戯者側に配置される略円環状の外側透明板（１１ｂ）と、
外側透明板（１１ｂ）と内側透明板（１１ａ）との外周部を固定する枠体（１２）と、内外各透明板（１１ａ，１１ｂ）と枠体（１２）によって囲まれる密閉 空間（１４）と、
枠体（１２）の少なくとも外周側の一部において外部方向に拡張され、内外各透明板（１１ａ、１１ｂ）の内側表面に結露が生じないように、吸湿部材（１５）を収容し、貫通孔（１２ｅ）を介して密閉空間（１４）と連通されている拡張部１２ｄと、 を備え、
枠体（１２）は、内外各透明板（１１ａ、１１ｂ）の形状にあわせて、略円環状であり、枠体（１２）の内周側に周設され両側面が略平行である断面略凸状部（１２ａ）と、断面略凸状部（１２ａ）の枠体（１２）の内周側両端には、押し込まれた 内外各透明板（１１ａ，１１ｂ）の外周部を側面で圧着するように 、枠体（１２）の内周側全周に、又は対称な位置関係となるように複数個所に 設けられる一対の突起部（１２ｃ）と、を有し
枠体（１２）と突起部（１２ｃ）が、合成樹脂によって一体成形されたもの 、又は突起部（１２ｃ）が弾性材料によって形成され、接着樹脂層を介して、枠体（１２）と一体成形されたものであり、
断面略凸状部（１２ａ）の両側面の凸状部側面（１２ｂ）と内外各透明板（１１ａ，１１ｂ）の間に介在させる凸状部側面（１２ｂ）に周設される一対の 弾性部材（１３）を設け、
押し込まれた 内外各透明板（１１ａ，１１ｂ）は、圧縮された 一対の弾性部材（１３）と一対の突起部（１２ｃ）の側面によって圧着され、密閉 空間（１４）が封止されており、弾性部材（１３）のゴム硬度が、ＪＩＳ Ｋ６２５３による値が３０〜８０であることを 特徴とする遊戯機用前面板。
【請求項２】
圧縮された弾性部材（１３）の厚み（Ｂ2）と内側透明板（１１ａ）又は外側透明板（１１ｂ）の厚み（ｔ）の合計は、断面略凸状部（１２ａ）の側面（１２ｂ）から突起部（１２ｃ）の側面までの距離Ｌと実質的に等しいことを特徴とする請求項１記載の遊戯機用前面板。
【請求項３】
突起部（１２ｃ）の側壁部（１２ｇ）において、側壁部（１２ｇ）から断面略凸状部（１２ａ）側に向けて形成された溝部（１２ｈ）と、溝部（１２ｈ）に嵌入され内外各透明板（１１ａ、１１ｂ）の把持状態を強化するための嵌合部材（１８）と、を有することを特徴とする請求項１又は請求項２に記載の遊戯機用前面板。
【請求項４】
突起部（１２ｃ）の内外各透明板（１１ａ、１１ｂ）と当接する側の側面（１２ｂ）と、断面略凸状部（１２ａ）の側面（１２ｂ）とが略平行となる形状であることを特徴とする請求項１乃至請求項３の何れかに記載の遊戯機用前面板。
【請求項５】
断面略凸状部（１２ａ）の両側面に接着層（１７）を周設し、弾性部材（１３）が、接着層（１７）を介して設けられていることを特徴とする請求項１乃至請求項４の何れかに記載の遊戯機用前面板。
【発明の詳細な説明】
【技術分野】
【０００１】
本発明は、より簡易な構造で接着剤を使用しないで各透明板を固定可能なパチンコ機等に使用される遊戯機用前面板に関するものである。
【背景技術】
【０００２】
パチンコ機等の弾球遊戯機において遊戯盤を透視するものであって、遊戯盤面側に対応する内側透明板と、該内側透明板から所定間隔を隔てて配置され前面に露出される外側透明板からなる二重の複層構造をなす遊戯機用前面板が知られている。
【０００３】
遊戯機用前面板として、各透明板の外周部を樹脂などの枠体に固定し、各透明板と枠体は接着剤によって接着し一体化させ、枠体と各透明板によって囲まれた密閉空間を形成させるものが一般的である。
【０００４】
遊戯機は、機種の流行や使用者のニーズに併せて入れ替えが頻繁に行われ、廃棄される遊技機の数も膨大な量となる。そのため、リサイクルを前提とした遊戯機用前面板を使用することが望ましく、ガラス板等の各透明板と枠体の装着性、リサイクル性の向上の観点から接着剤を使用しないで各透明板を枠体に固定可能とした遊戯機用前面板が知られている。
【０００５】
例えば、特許文献１には、合成樹脂の押出成型により長尺の樋状に形成され、その長手方向に一定間隔を離して平行な二条の嵌合溝を形成した縁枠材と、二枚一組の板ガラスとからなり、前記縁枠材を板ガラスの四方側辺を周回する長さに裁断すると共に、板ガラスの各隅角部に合致する部分であり、かつ縁枠材の長手方向と直交する方向に開角度９０度の切欠部を設け、前記縁枠材の嵌合溝に板ガラスをそれぞれ嵌めると共に、縁枠材を切欠部で折曲げて板ガラスの外周に周回固定させることにより一体構造としたことを特徴とするパチンコ機用複合ガラス板が開示されている。
【０００６】
また、特許文献２には、合成樹脂により額縁状に形成されるガラス取付枠と２枚の板ガラスとの組合せからなり、ガラス取付枠を、上下一対の横枠と左右一対の縦枠とに分割して形成し、横枠と縦枠のそれぞれ内側面には二条の嵌合溝を設けて該嵌合溝に板ガラスを嵌挿させると共に、横枠と縦枠をそれぞれの端部に形成した係合部と被係合部との係合によって一体的に連結するようにしたことを特徴とするパチンコ機用複合ガラス板が開示されている。
【０００７】
また、特許文献３には、遊技領域を有する遊技機本体の前面側において開閉可能に設けられ、窓部を有してなる扉体と、前記扉体の背面側に設けられ、前記窓部を介して前記遊技領域を視認可能とする少なくとも２枚の透明体及び該透明体の外周に設けられる保持部材を有してなる透明体ユニットとを具備してなる遊技機において、前記保持部材は、締結手段を具備するクランプ体により具現化されていることを特徴とする遊技機が開示されている。
【先行技術文献】
【特許文献】
【０００８】
【特許文献１】特開平６−１３４１２１号公報
【特許文献２】特開平６−１３４１２２号公報
【特許文献３】特開２００５−２５３８７５号公報
【発明の概要】
【発明が解決しようとする課題】
【０００９】
特許文献１に記載のパチンコ機用複合ガラス板は、縁枠材を切欠部で折曲げて板ガラスの外周に周回固定させ、この縁枠体の両端突合せ部を複数の部品からなる止め金具によって止着するものである。しかし、このような構成の遊戯機用前面板では、組立てを行う際の部品数が多く組立工程が煩雑になり、その結果、リサイクル工程において、枠体と板ガラスを分離する際に手間が掛かるという問題点があった。
【００１０】
特許文献２に記載のパチンコ機用複合ガラス板では、ガラス板の外周部を固定するために、上下一対の横枠と左右一対の縦枠とに分割したガラス取付枠を用いる必要がある、そのため、このような構成の遊戯機用前面板では、それぞれの形状に対応した複数の金型を製作する必要があり、金型の設計、製作費用からパチンコ機用複合ガラス板の製造コスト高に繋がるという問題点があった。
【００１１】
特許文献３に記載の遊技機用ガラスユニットは、ガラス板等の透明体外周部を固定するための保持部材を設け、この保持部材の端部をボルト・ナットネジ等による締結手段によって締結固定可能とするものである。しかし、このような構成の遊戯機用前面板では、リサイクル工程において、透明体と保持部材を取り外すために、その都度、締結手段であるネジを取り外す必要があり、透明体と保持部材の分離に手間が掛かるという問題点があった。
【００１２】
本発明は、上記の問題点に鑑みてなされたものであり、より簡易な構造で接着剤を使用しないで各透明板を固定可能な遊戯機用前面板を提供することを目的とする。
【課題を解決するための手段】
【００１３】
すなわち、本発明は、遊戯盤（２）の前方に配置される遊戯機用前面板（１０）であって、
遊戯盤（２）側に配置される内側透明板（１１ａ）と、
遊戯者側に配置される外側透明板（１１ｂ）と、
外側透明板（１１ｂ）と内側透明板（１１ａ）との外周部を固定する枠体（１２）と、
内外各透明板（１１ａ，１１ｂ）と枠体（１２）によって囲まれる密閉空間（１４）と、
枠体（１２）の少なくとも外周側の一部において外部方向に拡張され、内外各透明板（１１ａ、１１ｂ）の内側表面に結露が生じないように、吸湿部材（１５）を収容し、貫通孔（１２ｅ）を介して密閉空間（１４）と連通されている拡張部１２ｄと、を備え、
枠体（１２）は、
内外各透明板（１１ａ、１１ｂ）の形状にあわせて、略円環状であり、
枠体（１２）の内周側に周設され両側面が略平行である断面略凸状部（１２ａ）と、
断面略凸状部（１２ａ）の枠体（１２）の内周側両端には、押し込まれた内外各透明板（１１ａ，１１ｂ）の外周部を側面で圧着するように、枠体（１２）の内周側全周に、又は対称な位置関係となるように複数個所に設けられる一対の突起部（１２ｃ）と、を有し
枠体（１２）と突起部（１２ｃ）が、合成樹脂によって一体成形されたもの、又は突起部（１２ｃ）が弾性材料によって形成され、接着樹脂層を介して、枠体（１２）と一体成形されたものであり、
断面略凸状部（１２ａ）の両側面の凸状部側面（１２ｂ）と内外各透明板（１１ａ，１１ｂ）の間に介在させる凸状部側面（１２ｂ）に周設される一対の 弾性部材（１３）を設け、
押し込まれた内外各透明板（１１ａ，１１ｂ）は、圧縮された一対の弾性部材（１３）と一対の突起部（１２ｃ）の側面によって圧着され、密閉空間（１４）が封止されており、弾性部材（１３）のゴム硬度が、ＪＩＳ Ｋ６２５３による値が３０〜８０であることを 特徴とする遊戯機用前面板である。
【００１４】
また、本発明は、圧縮された弾性部材（１３）の厚み（Ｂ2）と内側透明板（１１ａ）又は外側透明板（１１ｂ）の厚み（ｔ）の合計は、断面略凸状部（１２ａ）の側面（１２ｂ）から突起部（１２ｃ）の側面までの距離Ｌと実質的に等しい遊戯機用前面板である。
【００１５】
また、本発明は、突起部（１２ｃ）の側壁部（１２ｇ）において、側壁部（１２ｇ）から断面略凸状部（１２ａ）側に向けて形成された溝部（１２ｈ）と、溝部（１２ｈ）に嵌入され内外各透明板（１１ａ、１１ｂ）の把持状態を強化するための嵌合部材（１８）と、を有する構成にしてもよい。
【発明の効果】
【００１６】
本発明の遊戯機用前面板によれば、より簡易な構造で接着剤を使用しないで各透明板を固定可能な遊戯機用前面板を提供することが可能となる。
【図面の簡単な説明】
【００１７】
【図１】遊技機本体の概略図である。
【図２】本発明に係る遊戯機用前面板の分解斜視図である。
【図３】本発明に係る枠体の正面図である。
【図４】本発明に係る遊戯機用前面板の断面図Ａ−Ａである。
【図５】本発明に係る遊戯機用前面板の断面図Ｂ−Ｂである。
【図６】本発明に係る遊戯機用前面板の断面図Ｃ−Ｃである。
【図７】枠体による透明板の固定手順を示す拡大断面図である。
【図８】本発明に係る遊戯機用前面板の変形例の断面図Ｂ−Ｂである。
【図９】他の変形例における枠体による透明板の固定手順を示す拡大断面図である。
【発明を実施するための形態】
【００１８】
本発明の本発明の遊戯機前面板１０の実施形態例を、図面を用いて説明する。図１に例示したように、遊戯機前面板１０は、パチンコ機等の遊技機１本体の扉枠３に取り付け、取外し使用されるものである。
【００１９】
図２に示すように、遊戯機用前面板１０は、遊戯盤２側に配置される内側透明板１１ａと、遊戯者側に配置される外側透明板１１ｂと、を所定間隔隔てて配置し、内外各透明板１１ａ、１１ｂの外周部を固定する枠体１２と、を備える。さらに、図４〜６に示すように、遊戯機用前面板１０には、枠体１２と内外各透明板１１ａ、１１ｂとによって囲まれる密閉空間１４が形成されている。
【００２０】
次いで、図２〜図６を参照して、枠体１２の形状について説明する。枠体１２は、内外各透明板１１ａ、１１ｂの形状にあわせて、略円環状となっており、その内周側両端に内外各透明板１１ａ、１１ｂの外周部を固定している。枠体１２の内周側中央付近は、断面略凸状部１２ａが周設される段付形状となっており、さらに、断面略凸状部１２ａの両側面１２ｂ、１２ｂは互いに略平行となっている。また、断面略凸状部１２ａの、枠体１２の内周側両端には、押し込まれた内外各透明板１１ａ，１１ｂの外周部を側面で圧着するように、一対の突起部１２ｃが設けられている。この突起部１２ｃは、図３に示すように、それぞれ対称な位置関係となるように内周側両端の複数個所に設けるようにしてもよいが、枠体１２の内周側両端の全周に設けるようにしてもよい。
【００２１】
さらに、突起部１２ｃの少なくとも内外各透明板１１ａ、１１ｂと当接する断面略凸状部１２ａ側の側面は、内外各透明板１１ａ、１１ｂを安定的に保持できるように、断面略凸状部１２ａの側面１２ｂと略平行になるようにするよい。具体的な形状として、例えば、内外各透明板１１ａ、１１ｂを押し込みやすく、かつ、内外各透明板１１ａ、１１ｂを安定的に保持するには、図５に示すように、突起部１２ｃの形状を、テーパー形状を有する鍔状にするとよい。
【００２２】
枠体１２の内周側に周設された断面略凸状部１２ａの両側面１２ｂ、１２ｂには弾性部材１３が周設されており、内外各透明板１１ａ、１１ｂの外縁周部は、この弾性部材１３の弾性復元力による押圧力によって、弾性部材１３と枠体１２に設けられた一対の突起部１２ｃの断面略凸状部１２ａ側の側面によって圧着固定される。
【００２３】
また、図２および図３に示されるように、枠体１２の外周部には、適宜数箇所、対称関係となる位置に取付部１２ｆが設けられており、各取付部１２ｆには取付孔が形成されている。この取付孔は蝶ネジ等の締結具（図示せず）を挿通し、遊戯機１本体の扉枠３に取り付けられる。
【００２４】
なお、内外各透明板１１ａ、１１ｂを十分に圧着固定するために、断面略凸状部１２ａ側の突起部１２ｃの側面から、圧縮されていない状態の弾性部材１３の突起部１２ｃの側面に最も近い最外面までの距離Ａが、圧着固定する内外各透明板１１ａ、１１ｂの厚みｔよりも狭くなるように形成される（図７参照）。
【００２５】
また、枠体１２には、少なくとも外周側の一部において外部方向に拡張された拡張部１２ｄが形成されている。この拡張部１２ｄには、内外各透明板１１ａ、１１ｂと枠体１２によって閉鎖される密閉空間１４において、内外各透明板１１ａ、１１ｂの内側表面に結露が生じないように、ゼオライトやシリカゲル等の吸湿部材１５が収容される。この吸湿部材１５を収容する拡張部１２ｄと密閉空間１４は貫通孔１２ｅを介して連通されており、吸湿部材１５を収納した状態で拡張部１２ｄの開放部を蓋部材１６によって密閉するようにしている。
【００２６】
弾性部材１３は、内外各透明板１１ａ、１１ｂを十分に圧着固定するために、所定の硬度と弾性率を有するものが好ましく、硬度はＪＩＳ Ｋ ６２５３：２００６による値が３０〜８０、特に、５０〜７０であるものが好ましい。硬度が３０より小さいと、透明板を十分に圧着固定することができず、８０より大きいと、透明板を固定するのに過度な力が掛かりやすく、ガラスなどの透明板が破損しやすくなるため好ましくない。また、弾性率については、外力からの圧縮によって、透明体を十分に圧着できる程度の反発力を有するものを用いることが好ましい。
【００２７】
弾性部材１３として使用できる具体的な材質としては、例えば、ネオプレンゴム、塩化ビニリデン、ＥＰＤＭ（エチレン・プロピレンゴム）、シリコーンゴム、クロロプレンゴム、ウレタンゴム、ニトリルゴム、ブチルゴム、スチレン・ブタジエンゴム、フッ素ゴム、天然ゴムなどを用いることができる。
【００２８】
また、内外各透明板１１ａ、１１ｂには、強化ガラス板、半強化ガラス板、フロートガラス板等のガラス板、ポリカーボネート、アクリル、ポリエステル等の透明樹脂板、あるいは遮音中間膜等をガラス板で挟み込み接着した合わせガラス板を用いることができる。なお、騒音低減効果を向上させるには内側透明板１１ａに合わせガラス板を用いるとよい。
【００２９】
また、断面略凸状部１２ａの側面１２ｂに接着層１７を設け、弾性部材１３を側面１２ｂに貼着するようにしてもよい。接着層１７としては、耐候性や耐久性に優れる両面接着テ−プ（厚さが約０.１ｍｍ程度）が好ましいが、該両面接着テ−プに類する耐候性や耐久性を有する接着力を発現する接着剤等でもよい。
【００３０】
次に、内外各透明板１１ａ、１１ｂと枠体１２の固定手順の例を説明する。内側透明板１１ａと外側透明板１１ｂの固定手順は同様であるため、ここでは内側透明板１１ａを例に、図７（ａ）〜図７（ｃ）を用いて順に説明する。
【００３１】
まず、枠体１２を作業台に載置した状態で、枠体１２に固定する内側透明板１１ａを上部から押し込む。内側透明板１１ａを押し込むにつれ、図７（ａ）に示すように突起部１２ｃの先端部が内側透明板１１ａの押し込みによって変形し、内側透明板１１ａが押し込まれる。
【００３２】
次に、内側透明板１１ａの押し込みによって、枠体１２内周側の断面略凸状部１２ａの側面１２ｂに周設された弾性部材１３は、図７（ｂ）に示すように、弾性部材の厚みがＢ0からＢ1に圧縮される。なお、内側透明板１１ａを押し込む際は、作業性と安全性を考慮して、ガラス板等の透明板を吸着させるゴム製等の吸着パット等の治具を用いるとよい。
【００３３】
さらに、内側透明板１１ａを押し込む押圧力を解除すると、圧縮されていた弾性部材１３の弾性復元力によって内側透明板１１ａに押圧力が掛かり、図７（ｃ）に示すように、弾性部材１３がＢ2の厚さまで復元し、内側透明板１１ａの外縁部は、弾性部材１３と突起部１２ｃの側面によって圧着固定される。また、圧着固定される際、図７（ｃ）に示すように、圧縮された弾性部材１３の厚みＢ2と内側透明板１１ａの厚みｔの合計は、断面略凸状部１２ａの側面１２ｂから突起部１２ｃの側面までの距離Ｌと実質的に等しくなる。
【００３４】
一方、内側透明板１１ａを枠体１２から取り外すときは、図７（ｃ）の状態において、吸着パットなど治具を用いて、内側透明板１１ａを上部方向に引き抜くことによって容易に取外すことができる。また、カッターなどの刃物によって、枠体１２に設けられた突起部１２ｃを切断することによって、内側透明板１１ａを枠体１２から取り外すようにしてもよい。
【００３５】
このように、本発明における内外各透明板１１ａ、１１ｂと枠体１２は、固定するためのネジなどの煩雑で手間が掛かる取付金具を用いる必要がないので、容易に取外しが可能であり、遊技機前面版１０のリサイクルに好適である。
【００３６】
＜他の変形例＞
上記の実施の形態例の説明では、内外各透明板１１ａ、１１ｂを圧着固定するための突起部１２ｃが枠体１２と実質的に同一材質であり、金型によって一体成形されたものであるが、他の変形例として、図８に示すように、突起部１２ｃの材質を所定の硬度を有する弾性材料で形成し、シリコーン樹脂やアクリル樹脂などの合成樹脂からなる接着樹脂層（図示せず）を介して、枠体１２と一体成形したものを用いてもよい。
【００３７】
上記変更例の構成によれば、突起部１２ｃが弾性材料にて形成されているため、突起部１２ｃが内外各透明板１１ａ、１１ｂを押し込むに追従しやすくなるため、さらに、取付け、取外しが容易になる。
【００３８】
また、他の変形例として、図９の、枠体１２の突起部１２ｃの拡大近傍図に示すように、突起部１２ｃの側壁部１２ｇに、側壁部１２ｇの外周面から断面略凸状部１２ａ側の方向に向けて形成された溝部１２ｈを設け、溝部１２ｈに、嵌合部材１８を挿入して、内外各透明板１１ａ、１１ｂの把持状態を強化するようにした構成にしてもよい。なお、溝部１２ｈの形状は、特に限定されないが、例えば、Ｖ字状、Ｕ字状、コ字状、星状等の溝にするとよい。
【００３９】
嵌合部材１８は、溝部１２ｈに嵌合し、内外各透明板１１ａ、１１ｂの把持状態を強化するものであれば材質など特に限定されないが、その他として、例えば、シリコーンシーラントなどのシーリング剤や、エポキシ樹脂やアクリル樹脂などの接着剤を溝部１２ｈに埋め込むようにしてもよい。
【００４０】
図９（ａ）〜図９（ｃ）を用いて、具体的な手順の例として、内側透明板１１ａを例に説明する。まず、図９（ａ）に示すように、枠体１２を作業台に載置する。次いで、図９（ｂ）示すように、内側透明板１１ａを取り付ける際に、溝部１２ｈが形成された突起部１２ｃを図９（ｂ）の矢印に示す方向に開き、内側透明板１１ａを押し込む。さらに、図９（ｃ）に示すように、内側透明板１１ａを取り付けたあと、溝部１２ｈに嵌合部材１８を嵌入して、内側透明板１１ａの把持状態を強化する。
【００４１】
なお、内外各透明板１１ａは、溝部１２ｈに嵌め込まれた嵌合部材１８を取り除くことによって容易に取外しが可能となる。上記構成にすることによって、内外各透明板１１ａ、１１ｂを、さらに、嵌め込みやすくすることができる。
【符号の説明】
【００４２】
１          遊戯機
２          遊戯盤
３          扉枠          
１０        遊戯機前面板
１１ａ      内側透明板
１１ｂ      外側透明板
１２        枠体
１２ａ      断面略凸状部
１２ｂ      凸状部側面
１２ｃ      突起部
１２ｄ      拡張部
１２ｅ      貫通孔
１２ｆ      取付部
１２ｇ      側壁部
１２ｈ      溝部
１３        弾性部材
１４        密閉空間
１５        吸湿部材
１６        蓋部材
１７        接着層
１８        嵌合部材
【図１】
0005834417.tif 000002
【図２】
0005834417.tif 000003
【図３】
0005834417.tif 000004
【図４】
0005834417.tif 000005
【図５】
0005834417.tif 000006
【図６】
0005834417.tif 000007
【図７】
0005834417.tif 000008
【図８】
0005834417.tif 000009
【図９】
0005834417.tif 000010